(57)【要約】【課題】  輝度の低下を来たすことなく照明ムラの発生を防止する。【解決手段】  ランプハウジング９に保持されて配置された複数の光源８、８、・・・と、該光源に対向して配置され光源から出射された光を拡散する拡散板１０と、該拡散板を挟んで光源の反対側に配置された光学シート１１、１１、１１とを設け、拡散板を複数の凹部１２、１２、・・・と複数の突部１３、１３、・・・とが交互に連続し略均一な厚みを有する形状に形成すると共に拡散板の光源と向き合う面１０ａのうち各光源に対向する各部がそれぞれ凹曲面１３ｂ、１３ｂ、・・・となるようにした。【選択図】  図３
2006032103.tif 000002
【特許請求の範囲】
【請求項１】
ランプハウジングに保持されて配置された複数の光源と、
該光源に対向して配置され光源から出射された光を拡散する拡散板と、
該拡散板を挟んで光源の反対側に配置された光学シートとを備え、
上記拡散板を複数の凹部と複数の突部とが交互に連続し略均一な厚みを有する形状に形成すると共に拡散板の光源と向き合う面のうち各光源に対向する各部がそれぞれ凹曲面となるようにした
ことを特徴とする面光源装置。
【請求項２】
拡散板の光源に向き合う面の全ての部分における輝度が略均一となるようにした
ことを特徴とする請求項１に記載の面光源装置。
【請求項３】
上記光源として放射束密度異方性を有さない光源を用い、
拡散板の光源に向き合う面の各部と該各部の最も近傍に位置する光源との距離を略同距離にした
ことを特徴とする請求項１に記載の面光源装置。
【請求項４】
拡散板に対向する位置に光源から出射された光を拡散板へ向けて反射する反射面を設け、
該反射面を平面状に形成した
ことを特徴とする請求項１に記載の面光源装置。
【請求項５】
上記光学シートと拡散板との間に間隙を形成した
ことを特徴とする請求項１に記載の面光源装置。
【請求項６】
上記ハウジングに複数の光源から出射された光を反射する反射面を形成し、
上記複数の光源を反射面に取り付けた
ことを特徴とする請求項１に記載の面光源装置。
【請求項７】
ランプハウジングに保持されて配置された複数の光源と、
該光源に対向して配置され光源から出射された光を拡散する拡散板と、
該拡散板を挟んで光源の反対側に配置された光学シートと、
拡散板を挟んで光学シートの反対側に配置された空間光変調素子とを備え、
上記拡散板を複数の凹部と複数の突部とが交互に連続し略均一な厚みを有する形状に形成すると共に拡散板の光源と向き合う面のうち各光源に対向する各部がそれぞれ凹曲面となるようにした
ことを特徴とする画像表示装置。
【請求項８】
拡散板の光源に向き合う面の全ての部分における輝度が略均一となるようにした
ことを特徴とする請求項７に記載の画像表示装置。
【請求項９】
上記光源として放射束密度異方性を有さない光源を用い、
拡散板の光源に向き合う面の各部と該各部の最も近傍に位置する光源との距離を略同距離にした
ことを特徴とする請求項７に記載の画像表示装置。
【請求項１０】
拡散板に対向する位置に光源から出射された光を拡散板へ向けて反射する反射面を設け、
該反射面を平面状に形成した
ことを特徴とする請求項７に記載の画像表示装置。
【請求項１１】
上記光学シートと拡散板との間に間隙を形成した
ことを特徴とする請求項７に記載の画像表示装置。
【請求項１２】
上記ハウジングに複数の光源から出射された光を反射する反射面を形成し、
上記複数の光源を反射面に取り付けた
ことを特徴とする請求項７に記載の画像表示装置。
【発明の詳細な説明】
【技術分野】
【０００１】
本発明は面光源装置及び画像表示装置についての技術分野に関する。詳しくは、拡散板を所定の形状に形成して輝度の低下を来たすことなく照明ムラの発生を防止する技術分野に関する。
【背景技術】
【０００２】
画像表示装置には、例えば、光源と該光源から出射された光の変調を行う光変調素子とを備え、光源から出射された光を光変調素子に照射し変調されて得られた画像を表示するものがある。
【０００３】
このような画像表示装置には、例えば、光変調素子として液晶を有する液晶パネルが用いられ、光源として冷陰極蛍光ランプ（ＣＣＦＬ：Cold Cathode Fluorescent Lamp）や発光ダイオード（ＬＥＤ：Light Emitting Diode）が用いられ、光変調素子の背面側にバックライトとして光源を配置し、該光源から出射された光を光変調素子によって変調して表示パネル上に画像を生成するようにしたものがある。
【０００４】
バックライトには、表示パネルの背面側に設けられた導光板（拡散板）の側方に配置される所謂サイドエッジ型と称されるタイプと、表示パネルの背面側に配置される所謂直下型と称されるタイプとが存在する。
【０００５】
サイドエッジ型のバックライトは、特に薄型化が要求されるノートブック型のパーソナルコンピューター等に広く使用されている。一方、直下型のバックライトは、高コントラストで明るい画像を得る必要性や長期使用においても高輝度を維持する必要性から、テレビジョンのディスプレイ等に広く使用されている。
【０００６】
以下に、直下型のバックライトを有する従来の画像表示装置の一例を示す（図１１参照）。
【０００７】
光源ａ、ａ、・・・であるバックライトとしては、例えば、上記した冷陰極蛍光ランプが複数用いられている。光源ａ、ａ、・・・は一方向に長い円筒状に形成され、長手方向における両端部がそれぞれ一方に開口された浅い箱状を為すランプハウジングｂの側面部ｃ、ｃに取り付けられている。このようにランプハウジングｂに取り付けられた光源ａ、ａ、・・・は、ランプハウジングｂ内において平行な状態で等間隔に配置されている。
【０００８】
ランプハウジングｂには、その開口ｄを閉塞するようにして拡散板ｅが取り付けられる。拡散板ｅは透明又は乳白色の平板状の樹脂材料によって形成され、光源ａ、ａ、・・・から出射された光を拡散して均一化する機能を有する。
【０００９】
拡散板ｅを挟んで光源ａ、ａ、・・・の反対側の位置には、各種の光学シートｆ、ｆ、ｆが配置される。光学シートｆ、ｆ、ｆは各種の機能、例えば、偏光機能や拡散機能や輝度向上機能等を有している。
【００１０】
光学シートｆ、ｆ、ｆを挟んだ拡散板ｅの反対側の位置には、例えば、空間光変調素子として液晶を有する図示しない液晶パネルが配置される。
【００１１】
このように液晶パネル、光学シートｆ、ｆ、ｆ、拡散板ｅ及び光源ａ、ａ、・・・が取り付けられたランプハウジングｂが順に配置されることにより画像表示装置が構成される。
【００１２】
ところで、上記のように構成された画像表示装置にあっては、拡散板ｅが平板状に形成されているため、拡散板ｅの各部と光源ａ、ａ、・・・との距離が部位によって異なり、拡散板ｅの各部における輝度が異なってしまい、明るい部分と暗い部分とが存在し所謂照明ムラが生じるという不具合がある。
【００１３】
即ち、図１２に示すように、拡散板ｅの各点Ａ、Ｂ、Ｃと光源ａとの距離は、点Ａと光源ａとの距離が最も小さく、点Ａから離隔するに従って大きくなる。光束密度は距離の二乗に反比例して減少するため、点Ａにおける輝度が最大となり、点Ｂ、点Ｃにおいて順に輝度が小さくなり、点Ａにおける部分が最も明るく、点Ｂ、点Ｃにおいて順に暗くなってしまうことにより照明ムラが生じることになる。
【００１４】
そこで、このような照明ムラの発生を防止した画像表示装置として、拡散板の光源と向き合う面を交互に凹凸面に形成し、拡散板の各部における輝度を略均一にすることにより、照明ムラの発生を防止するようにしたものがある（例えば、特許文献１参照）。
【００１５】
【特許文献１】特開平２００３―２７９９７８号公報
【発明の開示】
【発明が解決しようとする課題】
【００１６】
ところが、特許文献１に記載された画像表示装置にあっては、拡散板の光源と向き合う面を交互に凹凸面に形成しており、拡散板の厚みが不均一であり、厚みの厚い部分において厚みの薄い部分に比し光量の損失が生じ、光の利用効率が低下してしまうという問題がある。
【００１７】
このような光量の損失が生じると、例えば、上記のような明るい画像を得る必要性のあるテレビジョンのディスプレイ等に用い難くなる。また、このような理由により輝度の向上を図るために高輝度の光源を用いることも考えられるが、この場合には消費電力が大きくなる等の新たな問題が生じてしまう。
【００１８】
そこで、本発明面光源装置及び画像表示装置は、上記した問題点を克服し、輝度の低下を来たすことなく照明ムラの発生を防止することを課題とする。
【課題を解決するための手段】
【００１９】
本発明面光源装置は、上記した課題を解決するために、ランプハウジングに保持されて配置された複数の光源と、該光源に対向して配置され光源から出射された光を拡散する拡散板と、該拡散板を挟んで光源の反対側に配置された光学シートとを設け、上記拡散板を複数の凹部と複数の突部とが交互に連続し略均一な厚みを有する形状に形成すると共に拡散板の光源と向き合う面のうち各光源に対向する各部がそれぞれ凹曲面となるようにしたものである。
【００２０】
本発明画像表示装置は、上記した課題を解決するために、ランプハウジングに保持されて配置された複数の光源と、該光源に対向して配置され光源から出射された光を拡散する拡散板と、該拡散板を挟んで光源の反対側に配置された光学シートと、拡散板を挟んで光学シートの反対側に配置された空間光変調素子とを設け、上記拡散板を複数の凹部と複数の突部とが交互に連続し略均一な厚みを有する形状に形成すると共に拡散板の光源と向き合う面のうち各光源に対向する各部がそれぞれ凹曲面となるようにしたものである。
【００２１】
従って、本発明面光源装置及び画像表示装置にあっては、拡散板の各部における光の透過率が略均一であると共に拡散板の各部と光源との距離の差が小さくなる。
【発明の効果】
【００２２】
本発明面光源装置は、ランプハウジングに保持されて配置された複数の光源と、該光源に対向して配置され光源から出射された光を拡散する拡散板と、該拡散板を挟んで光源の反対側に配置された光学シートとを備え、上記拡散板を複数の凹部と複数の突部とが交互に連続し略均一な厚みを有する形状に形成すると共に拡散板の光源と向き合う面のうち各光源に対向する各部がそれぞれ凹曲面となるようにしたことを特徴とする。
【００２３】
従って、各光源に対向して凹曲面が位置されるため、拡散板の各部における輝度の差が小さくなり照明ムラの発生が防止され、拡散板の厚みが略均一であるため、光の利用効率の低下を来すことがなく輝度の向上を図ることができる。
【００２４】
請求項２に記載した発明にあっては、拡散板の光源に向き合う面の全ての部分における輝度が略均一となるようにしたので、照明ムラの発生を確実に防止することができる。
【００２５】
請求項３に記載した発明にあっては、上記光源として放射束密度異方性を有さない光源を用い、拡散板の光源に向き合う面の各部と該各部の最も近傍に位置する光源との距離を略同距離にしたので、照明ムラの発生を高い確率で防止することができる。
【００２６】
請求項４に記載した発明にあっては、拡散板に対向する位置に光源から出射された光を拡散板へ向けて反射する反射面を設け、該反射面を平面状に形成したので、面光源装置の薄型化を図ることができる。
【００２７】
請求項５に記載した発明にあっては、上記光学シートと拡散板との間に間隙を形成したので、外部から拡散板の形状が視認し難く、また、空気層を介して光学シートと拡散板とが対向されるため、光が不必要な方向へ進行し難く光の利用効率の低下等の不具合を生じ難い。
【００２８】
請求項６に記載した発明にあっては、上記ハウジングに複数の光源から出射された光を反射する反射面を形成し、上記複数の光源を反射面に取り付けたので、光源から出射された光のほとんどが直接拡散板に入射されるため、反射して拡散板に入射される光をほとんど考慮することなく拡散板の形状等の設計を行うことができ、設計の容易化を図ることができる。
【００２９】
本発明画像表示装置は、ランプハウジングに保持されて配置された複数の光源と、該光源に対向して配置され光源から出射された光を拡散する拡散板と、該拡散板を挟んで光源の反対側に配置された光学シートと、拡散板を挟んで光学シートの反対側に配置された空間光変調素子とを備え、上記拡散板を複数の凹部と複数の突部とが交互に連続し略均一な厚みを有する形状に形成すると共に拡散板の光源と向き合う面のうち各光源に対向する各部がそれぞれ凹曲面となるようにしたことを特徴とする。
【００３０】
従って、各光源に対向して凹曲面が位置されるため、拡散板の各部における輝度の差が小さくなり照明ムラの発生が防止され、拡散板の厚みが略均一であるため、光の利用効率の低下を来すことがなく輝度の向上を図ることができる。
【００３１】
請求項８に記載した発明にあっては、拡散板の光源に向き合う面の全ての部分における輝度が略均一となるようにしたので、照明ムラの発生を確実に防止することができる。
【００３２】
請求項９に記載した発明にあっては、上記光源として放射束密度異方性を有さない光源を用い、拡散板の光源に向き合う面の各部と該各部の最も近傍に位置する光源との距離を略同距離にしたので、照明ムラの発生を高い確率で防止することができる。
【００３３】
請求項１０に記載した発明にあっては、拡散板に対向する位置に光源から出射された光を拡散板へ向けて反射する反射面を設け、該反射面を平面状に形成したので、画像表示装置の薄型化を図ることができる。
【００３４】
請求項１１に記載した発明にあっては、上記光学シートと拡散板との間に間隙を形成したので、外部から拡散板の形状が視認し難く、また、空気層を介して光学シートと拡散板とが対向されるため、光が不必要な方向へ進行し難く光の利用効率の低下等の不具合を生じ難い。
【００３５】
請求項１２に記載した発明にあっては、上記ハウジングに複数の光源から出射された光を反射する反射面を形成し、上記複数の光源を反射面に取り付けたので、光源から出射された光のほとんどが直接拡散板に入射されるため、反射して拡散板に入射される光をほとんど考慮することなく拡散板の形状等の設計を行うことができ、設計の容易化を図ることができる。
【発明を実施するための最良の形態】
【００３６】
以下に、本発明面光源装置及び画像表示装置の最良の形態を添付図面に従って説明する。尚、以下に示した最良の形態は、本発明画像表示装置を、光の変調を行う空間光変調素子として液晶パネルを備え、光源から出射された光を液晶パネルに照射することにより得られた画像を表示する画像表示装置に適用し、本発明面光源装置をこのような画像表示装置において用いられる面光源装置に適用したものである。
【００３７】
画像表示装置１は、例えば、平面型のディスプレイを備えたテレビジョン装置であって、装置本体２と該装置本体２の両側部に配置されたスピーカー部３、３とを備え、装置本体２がスタンド４によって支持されて成る（図１参照）。
【００３８】
装置本体２の前面には透明な平板状に形成された前面パネル５が設けられ、該前面パネル５の背面側に液晶パネル等の各部が配置されている。
【００３９】
装置本体２は面光源装置６と空間光変調素子として機能する液晶を有する液晶パネル７とを備え、面光源装置６は、図２に示すように、光源８、８、・・・が取り付けられたランプハウジング９と拡散板１０と光学シート１１、１１、１１とを備えている。
【００４０】
光源８、８、・・・としては、例えば、冷陰極蛍光ランプ（ＣＣＦＬ）が用いられ、光源８、８、・・・は一方向に長い円筒状に形成されている。
【００４１】
ランプハウジング９は前方に開口された浅い箱状に形成され、底面部９ａと該底面部９ａの周縁に設けられた各周面部９ｂ、９ｂ、・・・とから成る。底面部９ａの内面（前面）は光源８、８、・・・から出射された光を反射する反射面９ｃとして形成されている。互いに対向して位置する周面部９ｂ、９ｂには光源８、８、・・・の長手方向における各両端部がそれぞれ取り付けられている。
【００４２】
このようにしてランプハウジング９に取り付けられた光源８、８、・・・は、ランプハウジング９内において互いに平行な状態で等間隔に配置されている。
【００４３】
拡散板１０は透明又は乳白色の樹脂材料、例えば、アクリル樹脂やポリカーボネート樹脂等により、凹部１２、１２、・・・と突部１３、１３、・・・とが交互に設けられた厚みの均一な波板状に形成されている。凹部１２、１２、・・・と突部１３、１３、・・・の並び方向は、光源８、８、・・・の並び方向に一致されている（図２及び図３参照）。拡散板１０の内面１０ａ、即ち、光源８、８、・・・に向き合う面は、突部１３、１３、・・・に対応する部分が凹曲面１３ａ、１３ａ、・・・とされ、凹部１２、１２、・・・に対応する部分が突曲面１２ａ、１２ａ、・・・とされている。
【００４４】
拡散板１０は凹曲面１３ａ、１３ａ、・・・がそれぞれ光源８、８、・・・に対向するようにして、ランプハウジング９の開口９ｄを閉塞するように取り付けられる。
【００４５】
以下に、拡散板１０の具体的な形状を形成する手法の一例について説明する（図４及び図５参照）。
【００４６】
先ず、光源８、８、・・・から出射された光のうち、拡散板に直接入射される光について考える（図４参照）。尚、光源８、８、・・・は放射束密度異方性を有さない光源、即ち、光の全ての出射方向において光強度分布が均一な光源であるとする。
【００４７】
光源８、８、・・・から出射された光の強度は、距離の二乗に反比例して低下するため、図４に示すように、拡散板における等輝度面は光源８、８、・・・から等距離の点の集合となる。例えば、図４には、光源８、８、・・・から半径Ｒａの距離の点の集合である等輝度面Ｓａを示している。
【００４８】
次に、光源８、８、・・・から出射された光のうち、反射面９ｃで反射されて拡散板に入射される光について考える（図５参照）。拡散板における等輝度面は反射面９ｃを挟んで光源（実光源）８、８、・・・の反対側に光源（虚光源）８ｂ、８ｂ、・・・が存在すると仮定して、虚光源８ｂ、８ｂ、・・・から半径Ｒｂの距離の点の集合である等輝度面Ｓｂを考える。このとき、光源８、８、・・・から反射面９ｃまでの距離Ｌａと虚光源８ｂ、８ｂ、・・・から反射面９ｃまでの距離Ｌｂとは同じであり、半径Ｒｂ＝２Ｌａ（＝Ｌａ＋Ｌｂ）＋Ｒａである。
【００４９】
このようにして等輝度面Ｓａと等輝度面Ｓｂが得られるが、光源８、８、・・・から等輝度面Ｓａまでの距離と光源８ｂ、８ｂ、・・・から等輝度面Ｓｂまでの距離が大きく異なるため、等輝度面Ｓａにおける輝度は等輝度面Ｓｂにおける輝度より高い。従って、輝度に関して、等輝度面Ｓａにおける輝度が等輝度面Ｓｂにおける輝度よりも支配的であり、実際には、光源８ｂ、８ｂ、・・・からの光は等輝度面Ｓａの曲率半径Ｒａを大きくする方向に働く。尚、光源８、８、・・・から光が出射されたときの任意の点Ｐにおける輝度は、光源８、８、・・・から出射され任意の点Ｐに直接入射された光と光源８、８、・・・から出射され反射面９ｃで反射されて任意の点Ｐに入射された光の強度分布を積分した総和に基づいて算出される。
【００５０】
以上のようにして等輝度面Ｓａと等輝度面Ｓｂに基づいて光源８、８、・・・から出射された光に関する等輝度面Ｓｃを得ると、例えば、図６に示すようなものとなる。従って、拡散板１０を等輝度面Ｓｃに合わせた波板状に形成することにより拡散板１０における各部の輝度が均一となり、光源８、８、・・・から光が出射されたときの照明ムラの発生を防止することができる。
【００５１】
尚、拡散板は図６に示すような形状に限られることはなく、例えば、等輝度面Ｓｃを考慮して、拡散板１０に形状が近似する図７に示すような凸面が角張った形状を有する拡散板１０’としてもよい。
【００５２】
光学シート１１、１１、１１は拡散板１０と液晶パネル７との間に配置され、拡散板１０とは所定の間隔を有した状態で積層状態で配置されている（図２及び図３参照）。従って、拡散板１０と該拡散板１０に対向して位置されている光学シート１１は非接触の状態とされている（図３参照）。光学シート１１、１１、１１は各種の機能、例えば、偏光機能や拡散機能や輝度向上機能等を有している。
【００５３】
光学シート１１と拡散板１０との間に所定の間隙を設けることにより、外部から拡散板１０の形状が視認し難く、また、空気層を介して光学シート１１と拡散板１０とが対向されるため、光が不必要な方向へ進行し難く光の利用効率の低下等の不具合を生じ難い。
【００５４】
上記のように、拡散板１０を挟んで互いに反対側に光源８、８、・・・を保持するランプハウジング９と光学シート１１、１１、１１とが配置されることにより面光源装置６が構成される。ランプハウジング９、拡散板１０、光学シート１１、１１、１１及び液晶パネル７は、例えば、これらを取り囲むようにして配置されるフレーム１４によって保持されている（図３参照）。
【００５５】
以上に記載した通り、画像表示装置１にあっては、拡散板１０を複数の凹部１２、１２、・・・と複数の突部１３、１３、・・・とが交互に連続し略均一な厚みを有する形状に形成し各光源８、８、・・・に対向する各部がそれぞれ凹曲面１３ａ、１３ａ、・・・となるようにしている。
【００５６】
従って、各光源８、８、・・・に対向して凹曲面１３ａ、１３ａ、・・・が位置されるため、拡散板１０の各部における輝度の差が小さくなり照明ムラの発生が防止され、拡散板１０の厚みが略均一であるため、光の利用効率の低下を来すことがなく輝度の向上を図ることができる。
【００５７】
また、拡散板１０の内面１０ａの全ての部分における輝度が略均一とされているため、照明ムラの発生を確実に防止することができる。
【００５８】
さらに、拡散板１０と光源８、８、・・・との距離を、拡散板１０の各部位において略同距離とすることにより、照明ムラの発生を高い確率で防止することができる。
【００５９】
加えて、光源８、８、・・・から出射された光を反射する反射面９ｃを平面状に形成しているため、画像表示装置１の薄型化を図ることができる。
【００６０】
上記には、光源として、冷陰極蛍光ランプ（ＣＣＦＬ）を用いた例を示したが、光源は他の種類のものでもよく、例えば、以下のように発光ダイオード（ＬＥＤ：Light Emitting Diode）を用いることも可能である。
【００６１】
尚、光源として発光ダイオードを用いた以下の例にあっては、上記した冷陰極蛍光ランプを用いた例と比較して、光源の配置及び拡散板の形状が異なることのみが相違するため、上記した例と比較して異なる部分についてのみ詳細に説明をし、その他の部分については上記した例における同様の部分に付した符号と同じ符号を付して説明は省略する。
【００６２】
面光源装置６Ａは、光源８Ａ、８Ａ、・・・が取り付けられたランプハウジング９と拡散板１０Ａと光学シート１１、１１、１１とを備えている（図８及び図９参照）。
【００６３】
光源８Ａ、８Ａ、・・・としては、発光ダイオードが用いられ、光源８Ａ、８Ａ、・・・はランプハウジング９の底面部９ａに取り付けられている。ランプハウジング９に取り付けられた光源８Ａ、８Ａ、・・・は、上下左右に等間隔に配置されている。
【００６４】
拡散板１０Ａは凹部１２Ａ、１２Ａ、・・・と突部１３Ａ、１３Ａ、・・・とが上下左右に交互に等間隔に設けられた厚みの均一な形状に形成されている。拡散板１０Ａの内面１０ｂ、即ち、光源８Ａ、８Ａ、・・・と向き合う面は、突部１３Ａ、１３Ａ、・・・に対応する部分が凹曲面１３ｂ、１３ｂ、・・・とされ、凹部１２Ａ、１２Ａ、・・・に対応する部分が突曲面１２ｂ、１２ｂ、・・・とされている。
【００６５】
拡散板１０Ａは凹曲面１３ｂ、１３ｂ、・・・がそれぞれ光源８Ａ、８Ａ、・・・に対向するようにして、ランプハウジング９の開口９ｄを閉塞するように取り付けられる。
【００６６】
発光ダイオードである光源８Ａ、８Ａ、・・・は、出射方向に応じて光強度分布が均一でない放射束密度異方性を有する光源である。
【００６７】
従って、この放射束密度異方性を考慮した等輝度面を求めた上で、この等輝度面に対応する形状を有する拡散板１０Ａを形成する必要がある。このような等輝度面に対応する形状を有する拡散板１０Ａを形成することにより、光源８Ａ、８Ａ、・・・から光が出射されたときの照明ムラの発生を防止することができる。
【００６８】
尚、拡散板１０Ａにおいても拡散板１０と同様に（図７参照）、拡散板１０Ａに形状が近似する凸面が角張った形状を有する拡散板としてもよい。
【００６９】
また、光源８Ａ、８Ａ、・・・のようにランプハウジング９の底面部９ａに取り付けられている場合には、光源８Ａ、８Ａ、・・・から出射された光のほとんどが直接拡散板１０Ａに入射されるため、反射して拡散板１０Ａに入射される光をほとんど考慮することなく拡散板１０Ａの形状等の設計を行うことができ、設計の容易化を図ることができる。
【００７０】
上記には、空間光変調素子として液晶パネル７を例として説明したが、空間光変調素子は液晶パネル７に限られることはなく、非自発光の透過型のパネル（ディスプレイ）であれば液晶パネル７以外であってもよい。
【００７１】
また、照明ムラの防止を行うために、上記拡散板１０、１０’、１０Ａの内面又は外面の所定の位置に、図１０に示すように、遮光性を有する材料又は透過率を低下させる材料を用いてドット印刷等によるパターン１５、１５、・・・を付するようにすることも可能である。
【００７２】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００７３】
【図１】図２乃至図１０と共に本発明を実施するための最良の形態を示すものであり、本図は画像表示装置を示す斜視図である。
【図２】画像表示装置の装置本体を示す分解斜視図である。
【図３】装置本体を示す断面図である。
【図４】図５と共に拡散板の具体的な形状を形成する手法を説明するためのものであり、本図は光源から出射され直接入射される光についての等輝度面を示す概念図である。
【図５】光源から出射され反射されて入射される光についての等輝度面を示す概念図である。
【図６】等輝度面の一例を拡散板とともに示す概念図である。
【図７】別の拡散板を示す概念図である。
【図８】図９と共に光源として発光ダイオードを用いた例を示すものであり、本図は装置本体を示す分解斜視図である。
【図９】装置本体を示す断面図である。
【図１０】印刷によりパターンを付した例を示す背面図である。
【図１１】従来の画像表示装置の一例の一部を示す分解斜視図である。
【図１２】照明ムラの発生原因を説明するための概念図である。
【符号の説明】
【００７４】
１…画像表示装置、６…面光源装置、７…液晶パネル（空間光変調素子）、８…光源、９…ランプハウジング、９ｃ…反射面、１０…拡散板、１０ａ…内面（光源に向き合う面）、１１…光学シート、１２…凹部、１３…突部、１３ａ…凹曲面、１０’…拡散板、６Ａ…面光源装置、８Ａ…光源、１０Ａ…拡散板、１０ｂ…内面（光源に向き合う面）、１２Ａ…凹部、１３Ａ…突部、１３ｂ…凹曲面
【図１】
2006032103.tif 000003
【図２】
2006032103.tif 000004
【図３】
2006032103.tif 000005
【図４】
2006032103.tif 000006
【図５】
2006032103.tif 000007
【図６】
2006032103.tif 000008
【図７】
2006032103.tif 000009
【図８】
2006032103.tif 000010
【図９】
2006032103.tif 000011
【図１０】
2006032103.tif 000012
【図１１】
2006032103.tif 000013
【図１２】
2006032103.tif 000014